(57)【要約】【課題】分岐するイヤホンコードを束ねることにより、２本のコードを１本にまとめ、コードが独立に動くことを防ぎ、コードの絡まりを防止するイヤホンホルダを提供する。【解決手段】本考案のイヤホン１は、一対のイヤホン本体２ａ，２ｂと、再生装置等へ接続するプラグ３とを備え、イヤホン本体２とプラグ３とは、２本のコード４ａ，４ｂを介して接続されている。このコード４ａ，４ｂにおいて分岐点５を境に２本に分岐した分岐線６ａ，６ｂには、球状のコードホルダ７が設けられている。このコードホルダ７は、分岐線６ａ，６ｂを挿通する挿通孔７ａを備えるとともにこれらの分岐線を束ねるように構成されている。【選択図】図１
0003108997.tif 000002
【実用新案登録請求の範囲】
【請求項１】
一対のイヤホン本体とプラグとを接続する２本のコードがスライド移動可能に挿通される挿通孔を備え、
前記プラグと前記イヤホン本体との間の所定の位置で保持されるように、前記挿通孔の内周の少なくとも一部が接する柔軟性ある部材により形成され、
前記挿通孔は、前記２本のコードを束ねて保持する第１の挿通孔と、２本のコードを各々保持する２股の第２の挿通孔とを備えることを特徴とするコードホルダ。
【請求項２】
前記コードホルダの外周から前記挿通孔へ向かってコードホルダの軸方向に沿った切り込み部を有することを特徴とする請求項１記載のコードホルダ。
【請求項３】
一対のイヤホン本体と、各種音声再生機器に接続するプラグと、前記イヤホン本体と前記プラグとを接続し前記プラグ側から前記イヤホン本体側への所定の位置で二股に分岐する２本のコードと、を備えるイヤホンにおいて、
前記イヤホン本体と前記分岐部分の間には、前記２本のコードを束ねるコードホルダが設けられ、
このコードホルダは、前記２本のコードがスライド移動可能に挿通される挿通孔を備え、前記２本のコードの所定の位置で保持されるように前記挿通孔の内周の少なくとも一部が接する柔軟性ある部材により形成され、
前記分岐した２本のコードには、コード同士を接合する嵌合部が設けられ、
前記コードホルダを前記コード上にスライド移動させることによって、前記２本のコードが前記嵌合部を介して接合することを特徴とするイヤホン。
【請求項４】
前記コードホルダの前記挿通孔は、前記２本のコードを束ねて保持する第１の挿通孔と、２本のコードを各々保持する２股の第２の挿通孔とを備え、
前記コードホルダを前記プラグ側から前記イヤホン側へスライド移動させると、前記２本のコードは前記第２の挿通孔からそれぞれ導入され、前記第１の挿通孔によって束ねられ、
前記コードホルダを前記イヤホン側から前記プラグ側へスライド移動させると、前記束ねられた２本のコードは前記第１の挿通孔から導入され、前記第２の挿通孔によって２本に分離されることを特徴とする請求項３記載のイヤホン。
【請求項５】
前記コードホルダは、その外周から前記挿通孔へ向かってコードホルダの軸方向に沿った切り込み部を有することを特徴とする請求項４記載のイヤホン。
【請求項６】
前記コードホルダは、前記２本のコード上に複数設けられ、
前記複数のコードホルダの間には、前記２本のコードを挿通されるアクセサリが間挿されていることを特徴とする請求項４又は５に記載のイヤホン。
【請求項７】
前記イヤホン本体には、イヤホン本体同士を接合する固定部が設けられていることを特徴とする請求項４から６のいずれか１項に記載のイヤホン。
【考案の詳細な説明】
【技術分野】
【０００１】
本考案は、ヘッドホンやイヤホン等のコードを束ねるコードホルダ及びそれを備えたイヤホンに関する。
【背景技術】
【０００２】
音楽再生機器やラジオ等に用いられるイヤホンは、小型で両耳に装着することにより手軽にステレオ方式の再生を可能とすることから、従来より、ポータブル再生機器等の付属品として愛用されている。
【０００３】
このようなイヤホンは、図１３に示すように、両耳に装着する一対のイヤホン本体２と、再生機器等に接続するプラグ３と、これらの間をある程度の長さからなる２本のコード４から構成され、この２本のコード４は、プラグ３側からイヤホン本体２側に向かって最初は１本にまとめられ途中から分岐して、それぞれのコード４ａ，４ｂとなり、それらがイヤホン本体２ａ，２ｂに接続されるようになっている。
【０００４】
ところで、上記のようなイヤホンにおけるイヤホン本体側のコードが二股に分かれている部分では、２本のコードがイヤホン本体が耳掛け形状となっていることから、このイヤホン本体を中心としてそれぞれ独立に動いてしまう。そのため、こうしたイヤホンを接続した再生機器を収納する際、このイヤホン本体部分を中心として２本のコードが絡まってしまうことが多かった。
【０００５】
そこで、２股に分かれたイヤホンコードの絡まりを防止するべく、不使用時にこの部分をファスナーで一体化したり、動物のマスコットを模した束ね具で２本のコードを束ねる技術が提案されている（例えば、下記特許文献１または２）。
【特許文献１】特開２００４−５６６３６
【特許文献２】実用新案登録第３０６６７４２号
【考案の開示】
【考案が解決しようとする課題】
【０００６】
しかしながら、上記特許文献１に記載されているように、イヤホンコードにファスナーを用いた場合、ファスナー部分の重量があり、結果としてイヤホン本体から利用者の耳にかかる重量が増すから、装着感の低下を招く。また、ファスナーによって、利用者の衣類に傷を付けたり、イヤホンコードに接触することにより、コードが断線する可能性も考えられる。
【０００７】
また、上記特許文献２に開示された絡み防止部材は、表部材と裏部材とを嵌合してなるものであるから、比較的硬質の部材で構成せざるを得ず、かつ角部を有するから、イヤホンコード上にこの絡み防止部材をスライドさせることによって、コードの磨耗や断線の原因となることがあった。さらに、このような硬質な部材は、コード上を滑りやすく、移動しやすいため、例えば、絡み防止部材を所望の位置に移動させたとしても、すぐにその位置からズレ、コードのまとまりを損なうことがあった。
【０００８】
本考案は、上記のような従来技術の課題を解決するために提案されたものであり、その目的は、分岐する２本のコードを１本にまとめることにより、コードが独立に動くことを防ぎ、コードの絡まりを防止するとともに、コードの断線を防止するコードホルダ及びそれを備えたイヤホンを提供することにある。
【課題を解決するための手段】
【０００９】
上記目的を達成するため、請求項１記載の考案は、一対のイヤホン本体とプラグとを接続する２本のコードがスライド移動可能に挿通される挿通孔を備え、前記プラグと前記イヤホン本体との間の所定の位置で保持されるように、前記挿通孔の内周の少なくとも一部が接する柔軟性ある部材により形成され、前記挿通孔は、前記２本のコードを束ねて保持する第１の挿通孔と、２本のコードを各々保持する２股の第２の挿通孔とを備えることを特徴とする。
【００１０】
請求項３載の考案は、請求項１記載の考案をイヤホンに適用した場合を規定したものであり、一対のイヤホン本体と、各種音声再生機器に接続するプラグと、前記イヤホン本体と前記プラグとを接続し前記プラグ側から前記イヤホン本体側への所定の位置で二股に分岐する２本のコードと、を備えるイヤホンにおいて、前記イヤホン本体と前記分岐部分の間には、前記２本のコードを束ねるコードホルダが設けられ、このコードホルダは、前記２本のコードがスライド移動可能に挿通される挿通孔を備え、前記２本のコードの所定の位置で保持されるように前記挿通孔の内周の少なくとも一部が接する柔軟性ある部材により形成され、前記分岐した２本のコードには、コード同士を接合する嵌合部が設けられ、前記コードホルダを前記コード上にスライド移動させることによって、前記２本のコードが前記嵌合部を介して接合することを特徴とする。
【００１１】
請求項４記載の考案は、請求項１記載の考案をイヤホンに用いた場合を規定したものであり、請求項３記載の考案において、前記コードホルダの前記挿通孔は、前記２本のコードを束ねて保持する第１の挿通孔と、２本のコードを各々保持する２股の第２の挿通孔とを備え、前記コードホルダを前記プラグ側から前記イヤホン側へスライド移動させると、前記２本のコードは前記第２の挿通孔からそれぞれ導入され、前記第１の挿通孔によって束ねられ、前記コードホルダを前記イヤホン側から前記プラグ側へスライド移動させると、前記束ねられた２本のコードは前記第１の挿通孔から導入され、前記第２の挿通孔によって２本に分離されることを特徴とする。
【００１２】
これらの態様では、イヤホンの使用時には、プラグを再生等機器に接続するともに、コードホルダを分岐部分に移動させ、一対のイヤホン本体を利用者の両耳に装着した後、利用者はコードホルダを上下にスライドさせることによって、２本のコードの分岐位置を調整し、イヤホンコードの弛みを調整することが可能である。また、このコードホルダの挿通孔は、プラグとイヤホン本体との間の所定の位置で保持されるように内周の一部が接する柔軟性ある部材により形成されているため、コードホルダは、コード上をスライド可能な一方で、スライド移動させた位置からズレにくい。
【００１３】
また、イヤホンの不使用時には、分岐部分の近傍に設けられたコードホルダを、２本のコード上でイヤホン本体側へスライドさせる。これにより、コードホルダによって２本のコードが束ねられる。また、コードホルダは、上記同様、２本のコード上をスライド可能であると同時に、挿通孔に設けられた柔軟性ある部材に接触し、コードホルダのずれを制限する。さらに、挿通孔とコードが接触していも当該２本のコードを傷めることがなく、イヤホンコードを断線させるようなことがない。
【００１４】
さらに、コードホルダ全体を例えばゴム等の柔軟性ある部材で構成した場合には、上記の効果に加えて、利用者の衣類に傷を付けるようなこともなく、イヤホンコードに接触することにより、コードが断線するようなこともない。また、コードホルダ自体が軽量となるため、利用者の身体的な負担を軽減するとともに、着用感や利便性の向上を図ることができる。
【００１５】
また、２本に分岐したコードに嵌合部を設け、各々のコードをコードホルダのスライド移動に伴う押圧によって接合させる構成としたため、分岐した２本のコードをコードホルダによって束ねるだけでなく、２本のコード自体を接合させて束ねることができるため、使用時であっても不使用時であっても、より確実に分岐したコードを束ねることが可能となる。
【００１６】
またこのような場合、第１の挿通孔と第２の挿通孔によって、２本に分岐したコードの接合をガイドすることができるため、分岐したコードをより確実に束ねることが可能となる。また、コードホルダをイヤホン本体側からプラグ側に移動するだけで、２本のコードを前記のようにして束ねられた２本のコードを第１の挿通孔から第２の挿通孔に挿通させるだけで分離させることができるため、使用時おける２本のコード部分の長さの調整や、収納状態からの２本のコードの分離を容易に行うことができる。
【００１７】
請求項２記載の考案は、請求項１記載の考案において、前記コードホルダの外周から前記挿通孔へ向かってコードホルダの軸方向に沿った切り込み部を有することを特徴とする。
請求項５記載の考案は、請求項２記載の考案をイヤホンに適用した場合を規定したものであり、請求項３又は４記載の考案において、前記コードホルダは、その外周から前記挿通孔へ向かってコードホルダの軸方向に沿った切り込み部を有することを特徴とする。
【００１８】
これらの態様では、コードホルダに切り込み部が設けられていることにより、コードホルダは２本のコードに対して着脱自在に構成することが可能であるので、コードホルダを既存のイヤホンにも適用することができる。
【００１９】
請求項６記載の考案は、請求項４または５記載の考案において、前記コードホルダは、前記２本のコード上に複数設けられ、前記複数のコードホルダの間には、前記２本のコードを挿通されるアクセサリが間挿されていることを特徴とする。
この態様では、複数のコードホルダの間にアクセサリを間挿することによって、さらにバリエーションに富み、デザイン性の高いイヤホンを構成することが可能である。
【００２０】
請求項７記載の考案は、請求項４から６のいずれか１項に記載の考案において、前記イヤホン本体には、イヤホン本体同士を接合する固定部が設けられていることを特徴とする。
この態様では、イヤホン本体同士を接合することにより、例えば、分岐する２本のコードをコードホルダによってまとめ、あるいは嵌合部によって２本のコードを接合させたとしても、イヤホン本体の重量によってコードホルダがプラグ側にずれ、あるいは２本のコード自体が何らかの外力によって引き離されるような弊害が防止され、イヤホンコードをより確実にまとめることができるようになる。
【００２１】
なお、本考案におけるイヤホンとは、利用者の耳に装着し、電気信号を音響信号に変換する小型の装置のことをいい、特に特定の製品や態様を示唆するものではない。例えばイヤースピーカであってもインザイヤースピーカなど、本考案の上記作用効果を奏する装置であれば、すべて包含するものである。
【考案の効果】
【００２２】
以上のような本考案のコードホルダ及びそれを備えたイヤホンでは、イヤホン本体部分からコードの分岐部分までの間にコードホルダを設け、当該コードホルダをイヤホン本体近傍にスライドさせることによって、分岐した２本のコードを１本にまとめることができるため、コードがイヤホン本体に先導され独立に動くことを防ぎ、コードの絡まりを防止することができる。
【考案を実施するための最良の形態】
【００２３】
次に、本考案を実施するための最良の形態（以下、本実施形態という）について、図面を参照して説明する。
【００２４】
［第１の実施形態］
第１の実施形態におけるイヤホン１は、図１（ａ）に示すように、利用者の両耳に装着し図示しない再生装置等からの当該利用者に対して音声を発する一対のイヤホン本体２ａ，２ｂと、再生装置等へ接続するプラグ３とを備え、イヤホン本体２とプラグ３とは、２本のコード４ａ，４ｂを介して接続されている。このコード４ａ，４ｂは、プラグ側から所定の長さ部分までは１本にまとめられ、その先の分岐点５を境に２本に分岐した分岐線６ａ，６ｂを形成し、それぞれがイヤホン本体２ａ，２ｂに至る。
【００２５】
そして、この分岐線６ａ，６ｂには、球状のコードホルダ７が設けられている。コードホルダ７は、図１（ｂ）の断面図に示すように、分岐線６ａ，６ｂを挿通する挿通孔７ａを備えるとともにこれらの分岐線６ａ，６ｂを束ねるように構成されている。これら分岐線６ａ，６ｂの分岐する分岐点５には、留具８が設けられている。
【００２６】
そして、コードホルダ７は、このイヤホン本体２と留具８との間の分岐線６ａ，６ｂ上をスライド可能に構成されているが、同時にスライドさせた所定の位置で停止するようになっている。具体的には、コードホルダ７は、その全体をラバー等の柔軟性ある部材によって構成され、図１（ｂ）に示すように、挿通孔７ａがその内周で２本の分岐線６ａ，６ｂと接している。これにより、このコードホルダ７は、利用者が自らこれをスライドさせた場合には比較的容易に移動できるが、単に分岐線６ａ，６ｂを上下に向けただけではスライドしないように構成されている。さらに、コードホルダ７の周囲には、利用者の趣向に合わせてデザイン（例えば、花柄）が施されている。
【００２７】
このような構成からなる本考案のイヤホン１は、使用時には、プラグ３を図示しない再生装置等に接続するともに、コードホルダ７を分岐点５側に移動させ、一対のイヤホン本体２を利用者の両耳に装着する。装着後、利用者は、自己の両耳の位置や身体の大きさに合わせて、コードホルダ７を上下にスライドさせることによって、分岐線６ａ，６ｂの分岐点の位置を調整し、イヤホンコードの弛みを解消することが可能である。
【００２８】
さらに、コードホルダ７が、ラバー等の柔軟性のある部材で構成されていることから、分岐線６ａ，６ｂ上にこれをスライドさせても利用者の衣類に傷を付けたり、分岐線６ａ，６ｂを傷めることがなく、イヤホンコードを断線させるようなことがない。また、コードホルダ自体が軽量となるため、利用者の身体的な負担を軽減するとともに、着用感や利便性の向上を図ることができる。
【００２９】
一方、不使用時には、図１（ｃ）に示すように、分岐点５近傍にあるコードホルダ７を分岐線６ａ，６ｂ上をイヤホン本体２側へスライドさせる。これにより、コードホルダ７によって分岐線６ａ，６ｂの２本のコードが、イヤホン本体２側に至るまで１本に束ねられる。また、コードホルダ７が、ラバー等の柔軟性のある部材で構成され、さらに挿通孔７ａの内周は分岐線６ａ，６ｂと接しているため、コールホルダのスライドが可能であると同時に、スライドさせた位置からズレるのを防止することができる。
【００３０】
［第２の実施形態］
第２の実施形態におけるイヤホン１０は、上記第１の実施形態におけるコードに改良を加えたものである。具体的には、図２（ａ）に示すように、分岐点５を境に２本に分岐する分岐線１１ａ，１１ｂの内側に、互いに押圧されることにより分岐線１１を互いに接合させる嵌合部１２を設けたものである。この嵌合部１２は、図３（ａ）の拡大断面図に示すように、断面が円形の凸部１２ａと凸部と略同大同形の凹部１２ｂとからなる。
【００３１】
そして、凸部１２ａと凹部１２ｂとは、コードホルダ７同様、ラバー等の柔軟性ある材料によって構成されているため、分岐線１１ａ，１１ｂを凸部１２ａ及び凹部１２ｂが合わさるように接触させた場合には、同図（ｂ）に示すように、凸部１２ａが若干縮むとともに、凹部１２ｂの溝が若干広がって、凸部１２ａが凹部１２ｂに嵌めこまれることとなる。なお、本実施形態において凸部１２ａを分岐線１１ａに、凹部１２ｂを分岐線１１ｂに設けて構成しているが、これとは反対に凹部を分岐線１１ａに設け、凸部を分岐線１１ｂに設ける構成としても作用効果に変わりはない。
【００３２】
次に、上記のような分岐線１１ａ，１１ｂをコードホルダ７との関係において説明すると、嵌合部１２を介して互いに合わさった状態における分岐線１１ａ，１１ｂの直径は、コードホルダ７の挿通孔７ａの直径と略同一に構成されている。そのため、図４に示すように、分岐線１１ａ，１１ｂを挿通孔７ａに挿通させた場合は、分岐線１１ａ，１１ｂの外周面が挿通孔７ａの内周面に押圧されて、嵌合部１２の凸部１２ａと１２ｂとが嵌め合わさって分岐線１１ａ，１１ｂが１本にまとめられるようになる。
【００３３】
さらに、図２（ｂ）を用いて説明すると、コードホルダ７を留具８からイヤホン１に向かって分岐線１１ａ，１１ｂ上を摺動させた場合には、２本に分かれた分岐線１１ａ，１１ｂがコードホルダ７の挿通孔７ａの入口方向（図中上部）に挿入されたところで束ねられ、嵌合部１２を介して接合される。そして、挿通孔７ａ下部から排出される分岐線１１ａ，１１ｂは、１本にまとめられた状態となる。
【００３４】
また、嵌合部１２の凸部１２ａ及び１２ｂは、上記のように柔軟性ある部材により構成されているため、接合された分岐線１１ａ，１１ｂは、コードホルダ７の位置に関係なく、それぞれの線を左右に引き離すことにより、分離させることが可能である。したがって、上記のように分岐線１１ａ，１１ｂを束ねた状態から、イヤホン１０を使用する場合には、イヤホン本体２側に移動させたコードホルダ７を留具８方向に移動させ、その後、イヤホン本体２又は分岐線１１ａ，１１ｂのイヤホン本体２寄り上部を左右に適度に引っ張ることにより、分岐線１１ａ，１１ｂを引き離すことで分岐線１１ａ，１１ｂを分離させることができる。
【００３５】
なお、嵌合部１２における凸部１２ａ及び凹部１２ｂを構成する部材は適宜変更可能であるが、上記のように、嵌合し易くかつある程度は形態を保持するもので、一方で断線等の弊害が生じないために適度な力で引き離しが可能な硬度により構成することが望ましい。この場合、分岐線１１ａ，１１ｂと共通に一体成型するようにしても良いし、分岐線１１ａ，１１ｂと別部材、例えばより柔軟な部材を熱圧着する等、自由である。
【００３６】
以上のような本実施形態のイヤホン１０によれば、第１の実施形態におけるコードの分岐線１１ａ，１１ｂに嵌合部１２を設け、分岐線の各々をコードホルダ７の押圧によって接合させる構成としたため、上記第１の実施形態に加え、分岐線１１ａ，１１ｂをコードホルダ７によって束ねるだけでなく、分岐線１１ａ，１１ｂ自体を接合することで束ねることができるため、使用時であってもイヤホンを収納する場合であっても、より確実に分岐線１１ａ，１１ｂを束ねることが可能となる。
【００３７】
［第３の実施形態］
第３の実施形態におけるイヤホン２０は、第１又は第２の実施形態におけるイヤホン本体の構成に改良を加えたものである。具体的には、図５（ａ）の拡大断面図に示すようにイヤホン本体２１ａ，２１ｂの背面にイヤホン本体２１同士を接合させるイヤホン嵌合部２２を設けたものである。このイヤホン嵌合部２２は、上記第２の実施形態おける嵌合部１２同様、断面が円形の凸部２２ａと凸部２２ａと略同大同形の凹部２２ｂとから構成されている。
【００３８】
また、凸部２２ａと凹部２２ｂとは、コードホルダ７同様、ラバー等の柔軟性ある材料によって構成されているため、イヤホン本体２１ａ，２１ｂを凸部２２ａ及び凹部２２ｂが合わさるように接触させた場合には、凸部２２ａが若干縮むとともに、凹部２２ｂの溝が若干広がって、凸部２２ａが凹部２２ｂに嵌めこまれることとなる。なお、本実施形態において凸部２２ａをイヤホン本体２１ａに、凹部２２ｂをイヤホン本体２１ｂに設けて構成しているが、これとは反対に凹部をイヤホン本体２１ａに設け、凸部をイヤホン本体２１ｂに設ける構成としても作用効果に変わりはない。
【００３９】
図５（ｂ）に示すように、本実施形態のイヤホン本体２１を上記第２の実施形態おけるイヤホン１０に適用した場合には、分岐線１１ａ，１１ｂを１本に束ねることが可能となるとともに、イヤホン本体２１もイヤホン嵌合部２２によって接合することができるようになる。このようにイヤホン本体２１自体を接合することにより、例えば、分岐線６をコードホルダ７によってまとめ、あるいは嵌合部１２によって分岐線１１ａ，１１ｂを接合させたとしても、イヤホン本体２１の重量によってコードホルダ７が留具８方向にずれたり、あるいは分岐線１１ａ，１１ｂが引き離されるような弊害がなく、イヤホン２０をより確実にまとめることができるようになる。また、嵌合部１２は、ファスナーのような重量のある部材ではなく、柔軟性のある部材により嵌め込み式で構成されているため、軽量で、利用者の着用感や利便性の弊害となることはない。
【００４０】
なお、本実施形態におけるイヤホン嵌合部は、上記のような嵌め込み式の態様に限られるものではなく、例えば、図６に示すように、凸部２４ａと凹部２４ｂとをスライドさせてイヤホン本体２３ａ及び２３ｂを結合する嵌合部２４のような態様も含むものである。また、この他にも、イヤホン本体背面に面ファスナーや磁石等を取り付けたり、あるいは一方のみに吸盤を取り付けるなど、本体同士を結合させて保持する如何なる態様によっても本実施形態の作用効果を実現することは可能である。また、本実施形態では、外見上イヤホン本体から嵌合部２２あるいは２４が突出するように設けているが、イヤホン全体のデザイン性を重視した場合には、イヤホン本体と一体に形成したり、イヤホン本体に埋め込んだり、あるいはイヤホン嵌合部部分に着脱自在なキャップを取り付けたりして、イヤホン嵌合部を外見上目立たないようにするのが望ましい。
【００４１】
［他の実施形態］
本考案は、上記のような実施の形態に限定されるものではなく、以下に示すような種々の態様を包含するものであり、目的や用途に応じて適宜最適な態様を選択して実施することが可能である。
【００４２】
例えば、上記第２又は第３の実施形態において、コードホルダの内面構成を、図７（ｂ）の拡大図に示すように略Ｙ字型にし、上部から、各々引き離された分岐線１１ａ，１１ｂが取り込まれ、下部から束ねられた分岐線１１ａ，１１ｂが排出されるように構成することも可能である（コードホルダ３１）。この場合、上部の挿通孔３１ａ、３１ｂは、嵌合部１２の各凸部及び凹部の形状と略同一の形状にして、凸部１２ａ及び凹部１２ｂが摺動可能なように若干大きく形成するようにし、挿通孔３１ｃにおいて凸部１２ａ及び凹部１２ｂが接合し易くなるようにガイドする構成とする。なお、図７では、説明の便宜上、コードホルダ３１を円柱形で構成しているが、上記同様、球状に構成することも可能である。
【００４３】
以上のような構成によれば、分岐線１１ａ，１１ｂは、コードホルダ３１に形成される挿通孔の構成をＹ型とし、挿通孔３１ａ及び挿通孔３１ｂによって嵌合部１２の凸部１２ａ及び１２ｂをガイドして挿通孔３１ｃで接合することが可能となるため、コードホルダ３１を留具８からイヤホン本体２側にスライド移動させることで、分岐線１１ａ，１１ｂの嵌合を確実に行いながら、分岐線１１ａ，１１ｂを束ねることができるようになる。また、コードホルダ３１をイヤホン本体２側から留具８側に移動するだけで、分岐線１１ａ，１１ｂを束ねた状態から分離させた状態となるため、使用時おける分岐線１１ａ，１１ｂ部分の長さの調整や、収納状態からの分岐線１１ａ，１１ｂの分離を容易に行うことができる。
【００４４】
また、第１乃至第３の実施形態のイヤホンでは、コードホルダを分岐線６ａ，６ｂ又は１１ａ，１１ｂ上に１つ設けて構成したが、これは本考案のイヤホンを示す一態様に過ぎず、このコードホルダの数は、分岐線の長さや利用者の好み、イヤホン全体のデザイン等により、適宜変更可能である。
【００４５】
例えば、図８に示すように、このコードホルダ７を分岐線６ａ，６ｂ上に３つ設けた構成も考えられる。この場合、同図（ａ）に示すように、これら３つのコードホルダ７を分岐線６ａ，６ｂ上に均等に配置して束ねるようにすることもできるし、同図（ｂ）に示すように、イヤホン本体２近傍に集中させて配置して分岐線６ａ，６ｂを束ねることもできる。前者のように配置することで、分岐線６ａ，６ｂの全体に渡って１本にまとめることができる。また、後者のように、３つまとめて配置することによって、コードホルダ７がよりズレにくくなり、効果が高い。
【００４６】
また、本考案のコードホルダは、上記実施形態に示した球状に限られず、図９に示すような円筒状や三角形状等、デザイン上の観点から任意の形状で構成することが可能である。このように、本考案のコードホルダは、その便利さのみならず、装着した場合にデザインの特徴も発揮し、スタイリッシュな外観を演出することが可能である。なお、この場合も、取り付けるコードホルダの数は任意に変更可能である。
【００４７】
さらに、図１０に示すように、上記第１乃至第３の実施形態におけるコードホルダの一部に分岐線が挿入可能な切込部４２を設けて構成することも可能である。これにより、コードホルダ４１は分岐線６ａ，６ｂに対して着脱自在に構成することが可能であるので、本考案のコードホルダを既存のイヤホンにも適用することができる。また、上述したようにコードホルダの内面形状をＹ字型に形成した場合には、図１１に示すように、コードホルダ４３の左右両側に切込部４４ａ、４４ｂを設けて構成しても、上記同様の作用効果を奏することが可能である。
【００４８】
また、上述の通り、本考案のコードホルダの外装に種々のデザインを施すことが可能であるが、コードホルダを上記のように着脱自在に構成した場合には、利用者が好みに応じてコードホルダのデザイン、個数や並べる順序を任意に選択可能であり、機能性のみならず、娯楽性を兼ね備えたコードホルダあるいはイヤホンを提供することができる。
【００４９】
また、例えば、図１２のイヤホンに示すように、コードホルダ７ａ，７ｂの間にアクセサリ５１を間挿することによって、さらにバリエーションに富み、デザイン性の高いイヤホンを構成することが可能である。
【図面の簡単な説明】
【００５０】
【図１】第１の実施形態におけるイヤホンの構成を示す概念図（ａ）、断面図（ｂ）及び作用を示す概念図（ｃ）。
【図２】第２の実施形態におけるイヤホンの構成を示す概念図（ａ）及び作用を示す概念図（ｂ）。
【図３】第２の実施形態における分岐線の構成を示す断面図。
【図４】第２の実施形態における分岐線とコードホルダの構成を示す断面図。
【図５】第３の実施形態におけるイヤホンの構成を示す断面図（ａ）及び概念図（ｂ）。
【図６】第３の実施形態におけるイヤホンの他の態様を示す断面図（ａ）及び概念図（ｂ）。
【図７】他の実施形態におけるイヤホン及びコードホルダの構成を示す概念図（ａ）及び拡大図（ｂ）。
【図８】他の実施形態におけるイヤホンの構成を示す概念図（ａ）及び（ｂ）。
【図９】他の実施形態におけるイヤホンの構成を示す概念図。
【図１０】他の実施形態におけるコードホルダの構成を示す断面図。
【図１１】他の実施形態におけるコードホルダの構成を示す斜視図。
【図１２】他の実施形態におけるイヤホンの構成を示す図。
【図１３】従来のイヤホンの構成を示す図。
【符号の説明】
【００５１】
１，１０，２０，３０…イヤホン
２，２ａ，２ｂ，２１，２１ａ，２１ｂ，２３，２３ａ，２３ｂ…イヤホン本体
３…プラグ
４…コード
４ａ，４ｂ…コード
５…分岐点
６，６ａ，６ｂ，１１，１１ａ，１１ｂ…分岐線
７，４１，４２…コードホルダ
７ａ，３１ａ，３１ｂ，３１ｃ…挿通孔
８…留具
１２…嵌合部
１２ａ…凸部
１２ｂ…凹部
２２，２４…イヤホン嵌合部
２２ａ，２４ａ…凸部
２２ｂ，２４ｂ…凹部
３０…イヤホン
４３，４４ａ，４４ｂ…切込部
５１…アクセサリ
【図１】
0003108997.tif 000003
【図２】
0003108997.tif 000004
【図３】
0003108997.tif 000005
【図４】
0003108997.tif 000006
【図５】
0003108997.tif 000007
【図６】
0003108997.tif 000008
【図７】
0003108997.tif 000009
【図８】
0003108997.tif 000010
【図９】
0003108997.tif 000011
【図１０】
0003108997.tif 000012
【図１１】
0003108997.tif 000013
【図１２】
0003108997.tif 000014
【図１３】
0003108997.tif 000015